(57)【要約】【課題】レバーが最後まで操作されているかどうかを容易に判別することができるレバー式コネクタを提供する。【解決手段】第２のコネクタハウジング６０にレバー７０が回動可能に装着され、レバーの操作部７１を嵌合側に操作することで、第１のコネクタハウジング１０に対して第２のコネクタハウジングを嵌合させ、反対の解除側に操作することにより、嵌合を解除するレバー式コネクタにおいて、第１のコネクタハウジングに、スライド自在な検知部材５０が設けられ、検知部材は、レバーが、正規嵌合を実現する完嵌合操作位置まで回動しているとき、スライドが可能となり、このスライドにより、レバーの完操作を知らせると共に、レバーの操作部の解除側への操作を阻止し、レバーが完嵌合操作位置の手前の半嵌合操作位置で止まっているとき、レバーの操作部と干渉することでスライドを阻止されて、レバーの未完操作を知らせるように構成した。【選択図】図４
2010009843.tif 000002
【特許請求の範囲】
【請求項１】
互いに嵌合する第１及び第２のコネクタハウジングのうち第２のコネクタハウジングにレバーが回動可能に装着され、このレバーの操作部を操作して該レバーを嵌合側に回動させることで、前記第１のコネクタハウジングに対して第２のコネクタハウジングを嵌合させ、その嵌合状態から、前記レバーの操作部を操作して該レバーを前記嵌合側と反対の解除側に回動させることで、前記第１のコネクタハウジングに対する第２のコネクタハウジングの嵌合を解除するレバー式コネクタにおいて、
前記第１のコネクタハウジングに、第１の位置と第２の位置の間で移動可能な検知部材が設けられ、該検知部材は、前記レバーが、前記第１及び第２のコネクタハウジングの正規嵌合を実現する完嵌合操作位置まで回動しているとき、前記第１の位置から第２の位置までの移動が可能となり、該第２の位置への移動により、前記レバーの完操作を知らせると共に、前記レバーの操作部の解除側への操作を阻止し、一方、前記レバーが前記完嵌合操作位置の手前の半嵌合操作位置で止まっているとき、該レバーの操作部と干渉することで、前記第１の位置から第２の位置への移動を阻止されて、前記レバーの未完操作を知らせるものとして構成されていることを特徴とするレバー式コネクタ。
【請求項２】
請求項１に記載のレバー式コネクタであって、
前記第１の位置と第２の位置に前記検知部材をそれぞれ係止するための第１の係止部と第２の係止部が設けられていることを特徴とするレバー式コネクタ。
【請求項３】
請求項１または２に記載のレバー式コネクタであって、
前記検知部材が、前記第１のコネクタハウジング上に、該第１のコネクタハウジングに対する前記第２のコネクタハウジングの嵌合方向と交差する方向にスライド自在に設けられており、前記第１のコネクタハウジングと前記検知部材に、互いに係合することで、前記検知部材の離脱を防止すると共に、該検知部材のスライド動作を案内するスライド機構が設けられていることを特徴とするレバー式コネクタ。
【請求項４】
請求項１〜３のいずれか１項に記載のレバー式コネクタであって、
前記検知部材には、前記レバーの操作部が、前記半嵌合操作位置と前記完嵌合操作位置との間で止まっているとき、その状態での前記検知部材の前記第１の位置から第２の位置への移動により、前記レバーの操作部上を摺動することで、該レバーを前記完嵌合操作位置まで回動させるカム面が設けられていることを特徴とするレバー式コネクタ。
【請求項５】
請求項１〜４のいずれか１項に記載のレバー式コネクタであって、
前記第１のコネクタハウジングに、前記第２のコネクタハウジングの嵌合する第１の嵌合口と、前記第１及び第２のコネクタハウジングとは別の第３のコネクタハウジングの嵌合する第２の嵌合口とが隣接して設けられており、前記検知部材が、前記第１の位置から第２の位置に到達する手前の位置にあるとき、前記第２の嵌合口に対する第３のコネクタハウジングの嵌合を邪魔するように構成されていることを特徴とするレバー式コネクタ。
【発明の詳細な説明】
【技術分野】
【０００１】
本発明は、レバーを用いた「てこの原理」で、小さい力によりコネクタの嵌合と離脱を行うようにしたレバー式コネクタに係り、特に半嵌合検知機能を有するレバー式コネクタに関するものである。
【背景技術】
【０００２】
従来、多極コネクタのように高嵌合力が必要とされるコネクタの分野では、嵌合力を助勢するためのレバーを備えたレバー式コネクタが利用されている。レバー式コネクタは、互いに嵌合される一対のコネクタハウジングのうちの一方のコネクタハウジングにレバーを回動可能に取り付け、このレバーを回動操作することにより、レバーと他方のコネクタハウジングとの間に設けたカム機構の作用によって、両コネクタハウジングの嵌合と離脱を助勢するものである。
【０００３】
例えば、特許文献１に、その一例として、半嵌合検知機能を備えたレバー式コネクタが示されている。このレバー式コネクタは、互いに嵌合される第１及び第２のコネクタハウジングのうち第１のコネクタハウジングに、互いに近接させて第１の嵌合検知用端子及び第２の嵌合検知端子を設けると共に、第１、第２の嵌合検知用端子同士を接触状態にさせる接触位置と非接触状態にさせる非接触位置との間で移動可能な状態変更部材と、状態変更部材を接触位置または非接触位置へ常時付勢する付勢部材とを設け、第２のコネクタハウジングに、第１のコネクタハウジングに対して第２のコネクタハウジングを嵌合・離脱させるレバーを設け、該レバーに、第１のコネクタハウジングに対する第２のコネクタハウジングの嵌合が完了したとき、前記状態変更部材を付勢部材の付勢力に抗して接触位置または非接触位置へ移動させる駆動力伝達部を設けたものである。
【０００４】
このレバー式コネクタによれば、レバーの操作による第１、第２の嵌合検知用端子の接触状態を電気的に検知することにより、コネクタハウジングの嵌合状態を判別することができる。
【特許文献１】特開２００８−８４７２５号公報
【発明の開示】
【発明が解決しようとする課題】
【０００５】
ところで、レバーの操作位置を電気信号で確認する上記従来のレバー式コネクタでは、通電できる状態での検査となるため、通電可能状態にならないとコネクタの嵌合状態を判別できない。そのため、２つのコネクタハウジングを組み付けた段階で即座に嵌合状態が適正か否かを判別することは難しい。例えば、レバーの位置を目視で確認することも可能ではあるが、誤認のおそれが大であり、安全性に欠ける。また、上記従来のレバー式コネクタは、レバーを一旦嵌合位置に操作しても、何かの間違いで解除側へ誤操作してしまうおそれもある。
【０００６】
本発明は、上記事情を考慮し、レバーが最後まで操作されているかどうかを容易に判別することができ、電気的に検査するのを待つ必要がなく、組付段階で即座にコネクタの嵌合状態の適正・不適正を見分けることができると共に、コネクタの正規嵌合時には、レバーを解除操作できないようにして、安全性を高めることのできるレバー式コネクタを提供することを目的とする。
【課題を解決するための手段】
【０００７】
請求項１の発明は、互いに嵌合する第１及び第２のコネクタハウジングのうち第２のコネクタハウジングにレバーが回動可能に装着され、このレバーの操作部を操作して該レバーを嵌合側に回動させることで、前記第１のコネクタハウジングに対して第２のコネクタハウジングを嵌合させ、その嵌合状態から、前記レバーの操作部を操作して該レバーを前記嵌合側と反対の解除側に回動させることで、前記第１のコネクタハウジングに対する第２のコネクタハウジングの嵌合を解除するレバー式コネクタにおいて、前記第１のコネクタハウジングに、第１の位置と第２の位置の間で移動可能な検知部材が設けられ、該検知部材は、前記レバーが、前記第１及び第２のコネクタハウジングの正規嵌合を実現する完嵌合操作位置まで回動しているとき、前記第１の位置から第２の位置までの移動が可能となり、該第２の位置への移動により、前記レバーの完操作を知らせると共に、前記レバーの操作部の解除側への操作を阻止し、一方、前記レバーが前記完嵌合操作位置の手前の半嵌合操作位置で止まっているとき、該レバーの操作部と干渉することで、前記第１の位置から第２の位置への移動を阻止されて、前記レバーの未完操作を知らせるものとして構成されていることを特徴とする。
【０００８】
請求項２の発明は、請求項１に記載のレバー式コネクタであって、前記第１の位置と第２の位置に前記検知部材をそれぞれ係止するための第１の係止部と第２の係止部が設けられていることを特徴とする。
【０００９】
請求項３の発明は、請求項１または２に記載のレバー式コネクタであって、前記検知部材が、前記第１のコネクタハウジング上に、該第１のコネクタハウジングに対する前記第２のコネクタハウジングの嵌合方向と交差する方向にスライド自在に設けられており、前記第１のコネクタハウジングと前記検知部材に、互いに係合することで、前記検知部材の離脱を防止すると共に、該検知部材のスライド動作を案内するスライド機構が設けられていることを特徴とする。
【００１０】
請求項４の発明は、請求項１〜３のいずれか１項に記載のレバー式コネクタであって、前記検知部材には、前記レバーの操作部が、前記半嵌合操作位置と前記完嵌合操作位置との間で止まっているとき、その状態での前記検知部材の前記第１の位置から第２の位置への移動により、前記レバーの操作部上を摺動することで、該レバーを前記完嵌合操作位置まで回動させるカム面が設けられていることを特徴とする。
【００１１】
請求項５の発明は、請求項１〜４のいずれか１項に記載のレバー式コネクタであって、前記第１のコネクタハウジングに、前記第２のコネクタハウジングの嵌合する第１の嵌合口と、前記第１及び第２のコネクタハウジングとは別の第３のコネクタハウジングの嵌合する第２の嵌合口とが隣接して設けられており、前記検知部材が、前記第１の位置から第２の位置に到達する手前の位置にあるとき、前記第２の嵌合口に対する第３のコネクタハウジングの嵌合を邪魔するように構成されていることを特徴とする。
【発明の効果】
【００１２】
請求項１の発明によれば、第１のコネクタハウジングに対して第２のコネクタハウジングを嵌合する際に、レバーを嵌合側に回動させることにより、両コネクタハウジングを嵌合させることができる。また、嵌合を解除する際には、レバーを解除側に回動させることにより、両コネクタハウジングの嵌合を解除させることができる。
【００１３】
特に、このレバー式コネクタでは、第１のコネクタハウジングに第２のコネクタハウジングを嵌合する際、両コネクタハウジングが正規嵌合する位置（完嵌合操作位置）までレバーが回動操作されているときには、検知部材を第１の位置から第２の位置まで移動させることができるので、そのことをもって、両コネクタハウジングの正規嵌合が実現されたと判断することができる。また、その際に、検知部材がレバーの操作部を解除側へ操作できないように阻止するので、誤ってレバーが解除側に動くおそれがなくなり、正規嵌合状態を保証することができる。
【００１４】
一方、レバーが最後まで操作されず、両コネクタハウジングが半嵌合状態にあるときには、半嵌合操作位置にあるレバーの操作部に、第１の位置から第２の位置へ移動しようとする検知部材が干渉することにより、検知部材が第１の位置から第２の位置へ移動できなくなるので、そのことをもって、両コネクタハウジングの正規嵌合が実現されていず、半嵌合状態あると判断することができる。
【００１５】
このように、検知部材の位置だけで、レバーが完操作されているか未完操作の状態であるかを判別することができるので、電気的に検査するのを待つ必要がなく、組付段階で即座にコネクタの嵌合状態の適正・不適正を見分けることができる。また、コネクタの正規嵌合時には、レバーを解除操作できないので、安全性を高めることもできる。
【００１６】
請求項２の発明によれば、第１の位置と第２の位置に検知部材を係止しておくことができるので、搬送中などに検知部材がいたずらに動くような心配がなく、組立作業性の向上が図れる。
【００１７】
請求項３の発明によれば、検知部材をスライド機構により第１のコネクタハウジングに組み付けた状態で、第１の位置にある検知部材を第２の位置までスライドさせることができるかどうかで、レバーが完嵌合操作位置にあるか半嵌合操作位置にあるか、つまり、第１及び第２コネクタハウジングが正規嵌合されているか半嵌合状態にあるかを判別することができる。この場合、コネクタハウジングの嵌合方向と交差する方向への検知部材のスライド動作により、その判別を行うことができるので、容易に見分けが付けられる。また、スライド機構により、検知部材を第１のコネクタハウジングに組み付ければ、検知部材を脱落しないように止めておけるので、仮組状態を安定保持することができる。
【００１８】
請求項４の発明によれば、レバーが検知部材と衝突する半嵌合操作位置よりも嵌合側に回動されているものの、依然として中途半端な位置にあって、両コネクタハウジングが適正に嵌合されていない状態のとき、検知部材を第１の位置から第２の位置に移動することによって、中途半端な位置にあるレバーを完嵌合操作位置まで回動させて、コネクタハウジングを適正に嵌合させることができるので、不安定な嵌合状態を未然に防ぐことができる。
【００１９】
請求項５の発明によれば、第３のコネクタハウジングが検知部材に邪魔されて第１のコネクタハウジングに嵌合できないとき、第２のコネクタハウジングが半嵌合状態であると判断することができる。従って、第１のコネクタハウジングに対して第２のコネクタハウジング及び第３のコネクタハウジングを順番に嵌合させる操作がスムーズにできるかどうかで、少なくとも第２のコネクタハウジングと第１のコネクタハウジングの嵌合が適切に行われているかどうかをチェックすることができ、信頼性を高めることができる。
【発明を実施するための最良の形態】
【００２０】
以下、本発明の実施形態を図面を参照して説明する。
【００２１】
図１は第１のコネクタ側の構成を示す分解斜視図、図２は同第１のコネクタに検知部材を取り付けた状態を示す斜視図、図３は別の角度から見た図２と同様の状態を示す斜視図、図４は第１のコネクタに第２のコネクタを正規嵌合させて検知部材を第２の位置にスライドさせた状態を示す斜視図、図５は図４の状態を上から見て示す部分断面図、図６は図５の要部の拡大図、図７は第１のコネクタに対する第２のコネクタの嵌合が半嵌合であり、そのため検知部材を第２の位置にスライドさせることができない状態を示す斜視図、図８は図７の状態を上から見て示す要部の平面図、図９は図７の状態を上から見て示す要部の断面図、図１０はレバーの操作部が検知部材のカム面に当たっている状態を示す図９と同様の要部の断面図、図１１はその要部の拡大図、図１２は図１１の状態から更に検知部材をスライドさせたときの状態を示す図１１と同様の要部の拡大図である。また、図１３は第１のコネクタに第２のコネクタを正規嵌合させて、検知部材を第２の位置にスライドさせ、その上で第３のコネクタを第１のコネクタに嵌合させようとしている状態を示す斜視図、図１４は第１のコネクタに対する第２のコネクタの嵌合が半嵌合であり、そのため検知部材を第２の位置にスライドさせることができず、それゆえに第３のコネクタを第１のコネクタに嵌合させようとしても、検知部材に邪魔されて嵌合できない状態を示す斜視図である。
【００２２】
全体概要を図１３及び図１４に示すように、このレバー式コネクタは、第１のコネクタ（メスコネクタ）Ｍ０と、その第１のコネクタＭ０に接続される第２のコネクタ（オスコネクタ）Ｍ１及び第３のコネクタ（オスコネクタ）Ｍ２とからなる。
【００２３】
メスコネクタである第１のコネクタＭ０は、第１のコネクタハウジング（メスハウジング）１０に必要個数の端子を装着し、第１のコネクタハウジング１０の前面に検知部材５０を装着したものである。一方のオスコネクタである第２のコネクタＭ１は、第２のコネクタハウジング（オスハウジング）６０に必要個数の端子（図示略）を装着し、第２のコネクタハウジング６０にレバー７０を装着したものである。もう一方のオスコネクタである第３のコネクタＭ２は、第３のコネクタハウジング（オスハウジング）１６０に必要個数の端子（図示略）を装着し、第３のコネクタハウジング１６０にレバー１７０を装着したものである。
【００２４】
図１〜図３に示すように、第１のコネクタハウジング１０の前面には、第２のコネクタＭ１のコネクタハウジング６０の嵌合する第１の嵌合口１１と、第３のコネクタＭ２のコネクタハウジング１６０の嵌合する第２の嵌合口１２とが隣接して設けられている。これら嵌合口１１、１２は、第１のコネクタハウジング１０を形成する上板１４と下板１５と左右側板１６、１７と中間仕切板１８とにより画成されており、前面が嵌合面１１Ａ、１１Ｂとして開放している。
【００２５】
また、第１のコネクタハウジング１０の上板１４の上面（外面）と下板１５の下面（外面）には、嵌合面１１Ａ、１２Ａと平行な方向〔第１のコネクタＭ０に対する第２、第３のコネクタＭ１、Ｍ２の嵌合方向（以下、コネクタ嵌合方向と言う）と直交する方向〕に延びるスライドレール（スライド機構）２０が設けられている。
【００２６】
検知部材５０は、第１のコネクタハウジング１０の嵌合口１１、１２を挟んで対向する上板１４と下板１５の外面に嵌まる一対の平行板５１、５２と、これら平行板５１、５２を繋ぐ連結板５３と、よりなる断面コ字形をなしており、上下の平行板５１、５２の内面に形成されたガイド溝（スライド機構）５４を、第１のコネクタハウジング１０の上板１４と下板１５の各外面のスライドレール２０に係合させることで、第１のコネクタハウジング１０に、コネクタ嵌合方向と直交する方向にスライド可能に装着されている。また、スライドレール２０にガイド溝５４を係合させることにより、検知部材５０は簡単に手前側に脱落しないように保持されている。
【００２７】
一方、第２のコネクタＭ１のレバー７０は、一端が第２のコネクタハウジング６０に回動自在に係合され、他端に操作部７１を有するもので、このレバー７０の操作部７１を操作してレバー７０を嵌合側（第１のコネクタハウジング１０に押し込む側）に回動させることにより、第１のコネクタハウジング１０に対して第２のコネクタハウジング６０を嵌合させることができる。また、その嵌合状態から、レバー７０の操作部７１を操作してレバー７０を嵌合側と反対の解除側（第１のコネクタＭ０から手前に引き出す側）に回動させることにより、第１のコネクタハウジング１０に対する第２のコネクタハウジング６０の嵌合を解除することができるようになっている。
【００２８】
このような機能を持たせるため、レバー７０と第１のコネクタハウジング１０には、カムピンとカム溝よりなるカム機構（図示せず）等が設けられている。また、操作部７１には、図５に示すように、レバー７０を、第１のコネクタハウジング１０と第２のコネクタハウジング６０が完全に嵌合する位置（以下、完嵌合操作位置と言う）まで回動させた際に、第１のコネクタハウジング１０側のロック部（図示略）と係合するロックアーム７５が設けられている。
【００２９】
なお、第３のコネクタＭ２のレバー１７０についても同様の構成であるので、ここでは説明を省略する。
【００３０】
また、検知部材５０は、第１のコネクタハウジング１０に装着された状態で、図２、図３に示す第１の位置と図４に示す第２の位置との間でスライドできるようになっている。第１のコネクタハウジング１０には、検知部材５０側の係止枠５５の孔５５ａと係合することで、第１の位置と第２の位置に検知部材５０をそれぞれ位置決めするための第１の係止突起（第１の係止部）２１と第２の係止突起（第２の係止部）２２が設けられている。
【００３１】
検知部材５０は、図４〜図６に示すように、第２のコネクタＭ１のレバー７０が、第１及び第２のコネクタハウジング１０、６０の正規嵌合を実現する完嵌合操作位置まで回動しているとき、レバー７０の操作部７１と連結板５３が干渉しないことにより、図２及び図３に示す第１の位置から第２の位置までの移動が可能となる。そして、第２の位置への移動により、レバー５０の完操作を作業者に知らせると共に、連結板５３によりレバー７０の操作部７１（ロックアーム７５を含む範囲）を覆い隠して、該操作部７１の解除側への操作を阻止する機能を有する。
【００３２】
また、検知部材５０は、図７〜図９に示すように、レバー７０が完嵌合操作位置の手前の半嵌合操作位置で止まっているとき、連結板５３が出っ張った状態のレバー７０の操作部７１と干渉することにより、第１の位置から第２の位置への矢印Ａ方向の移動を阻止され、それにより、レバー７０の未完操作を作業者に知らせる機能を有する。
【００３３】
また、図１０〜図１２に示すように、検知部材５０の連結板５３の、第２の位置へスライドする際に前側となる部分の内面角部には、面取状のカム面５７が設けられている。このカム面５７は、図示のように、レバー７０の操作部７１が、半嵌合操作位置と完嵌合操作位置との間で止まっているとき、その状態での検知部材５０の第１の位置から第２の位置への矢印Ａ方向の移動により、レバー７０の操作部７１と摺動することで、レバー７０を完嵌合操作位置まで押し込んで回動させる機能を果たす部分である。
【００３４】
また、図１３、図１４に示すように、第３のコネクタＭ２を第２の嵌合口１２に嵌合させようとする際に、検知部材５０の位置によって、嵌合させることができたりできなかったりするように、検知部材５０と第２の嵌合口１２の位置関係が設定されている。即ち、検知部材５０が、第１の位置から第２の位置に到達する手前の位置にあるとき、第２の嵌合口１２に対する第３のコネクタＭ２の第３のコネクタハウジング１６０の嵌合を邪魔するように、検知部材５０と第２の嵌合口１２の位置関係が設定されている。
【００３５】
次に作用を説明する。
【００３６】
まず、図１〜図３に示すように、スライドレール２０にガイド溝５４を係合させることで、検知部材５０を第１のコネクタハウジング１０に装着し、係止枠５５を第１の係止突起２１に係合させる。次に、第２のコネクタＭ１を第１のコネクタＭ０の第１の嵌合口１１に初期嵌合させ、その状態で、レバー７０を嵌合側に回動させることにより、第１のコネクタハウジング１０の第１の嵌合口１１に第２のコネクタハウジング６０を嵌合させることができる。また、嵌合を解除する際には、レバー７０を解除側に回動させることにより、両コネクタハウジング１０、６０の嵌合を解除させることができる。
【００３７】
このレバー式コネクタの場合は、第１のコネクタハウジング１０に第２のコネクタハウジング６０を嵌合させた際に、必要操作として、検知部材５０を第１の位置から第２の位置へスライドさせる。
【００３８】
すると、両コネクタハウジング１０、６０が正規嵌合する位置（完嵌合操作位置）までレバー７０が回動操作されているときには、図４〜図６に示すように、検知部材５０を第１の位置から第２の位置まで移動させることができる。従って、そのことをもって、両コネクタハウジング１０、６０の正規嵌合が実現されたと判断することができる。また、その際に、検知部材５０がレバー７０の操作部７１やロックアーム７５を覆い隠して操作部７１を解除側へ操作できないように阻止するので、誤ってレバー７０が解除側に動くおそれがなくなり、正規嵌合状態を保証することができる。
【００３９】
一方、図７〜図９に示すように、レバー７０が最後まで操作されず、両コネクタハウジング１０、６０が半嵌合状態にあるときには、半嵌合操作位置にあるレバー７０の操作部７１に、第１の位置から第２の位置へ移動しようとする検知部材５０の連結板５３が干渉することにより、検知部材が第１の位置から第２の位置へ矢印Ａ方向に移動できなくなるので、そのことをもって、両コネクタハウジング１０、６０の正規嵌合が実現されていず、半嵌合状態あると判断することができる。
【００４０】
このように、検知部材５０の位置だけで、レバー７０が完操作されているか未完操作の状態であるかを判別することができるので、電気的に検査するのを待つ必要がなく、組付段階で即座に、第１、第２のコネクタＭ０、Ｍ１の嵌合状態の適正・不適正を見分けることができる。また、第１、第２のコネクタＭ０、Ｍ１の正規嵌合時には、レバー７０を解除操作できないので、安全性を高めることもできる。
【００４１】
また、図１３に示すように、第３のコネクタＭ２を検知部材５０に邪魔されずに第１のコネクタＭ０に嵌合させることができるときには、検知部材５０が支障なく第２の位置にスライドしていることであるから、第１のコネクタＭ０と第２のコネクタＭ１が正規嵌合していると判断することもできる。
【００４２】
また、第３のコネクタＭ２が検知部材５０に邪魔されて第１のコネクタＭ０に嵌合できないときには、検知部材５０が第２の位置にスライドできなかったということであるから、第１のコネクタＭ０と第２のコネクタＭ１が半嵌合状態であると判断することができる。
【００４３】
従って、第１のコネクタＭ０に対して第２のコネクタＭ１及び第３のコネクタＭ２を順番に嵌合させる操作がスムーズにできるかどうかで、少なくとも第２のコネクタＭ１と第１のコネクタＭ０の嵌合が適切に行われているかどうかをチェックすることができ、信頼性を高めることができる。
【００４４】
また、図１０〜図１２に示すように、レバー７０が検知部材５０と衝突する半嵌合操作位置よりも嵌合側に回動されているものの、依然として中途半端な位置にあって、第１、第２のコネクタハウジング１０、６０が適正に嵌合されていない状態のときには、カム面５７がレバー７０の操作部７１を拾うことによって、検知部材５０を第１の位置から第２の位置に矢印Ａ方向に移動することによって、中途半端な位置にあるレバー７０を完嵌合操作位置まで回動させることができ、それにより、第１、第２のコネクタハウジング１０、６０を適正に嵌合させることができる。従って、不安定な嵌合状態を未然に防ぐことができる。
【００４５】
また、本実施形態のレバー式コネクタでは、第１及び第２の係止突起２１、２２を第１のコネクタハウジング１０に設けることによって、第１の位置と第２の位置に検知部材５０を係止しておくことができるようにしているので、搬送中などに検知部材５０がいたずらに動くような心配がなく、組立作業性の向上が図れる。
【００４６】
また、本実施形態のレバー式コネクタでは、検知部材５０のスライド動作を、スライドレール２０とガイド溝５４とでガイドするようにし、検知部材５０が第１の位置から第２の位置までスライドさせることができるかどうかで、レバー７０が完嵌合操作位置にあるか半嵌合操作位置にあるか、つまり、第１のコネクタＭ０と第２のコネクタＭ１が適正に嵌合されているかどうかを判別するので、容易に見分けが付けられる。また、スライドレール２０とガイド溝５４の係合により、検知部材５０を第１のコネクタハウジング１０に脱落しないように止めておけるので、仮組状態を安定保持することができる。
【００４７】
なお、上記実施形態では、検知部材５０を第２の位置に位置決めする第２の係止突起２２（第２の係止部）が第１のコネクタハウジング１０上に設けられている場合を示したが、レバー７０上に第２の係止部が設けられていてもよい。
【図面の簡単な説明】
【００４８】
【図１】本発明の実施形態の説明図で、第１のコネクタ側の構成を示す分解斜視図である。
【図２】同第１のコネクタに検知部材を取り付けた状態を示す斜視図である。
【図３】別の角度から見た図２と同様の状態を示す斜視図である。
【図４】前記第１のコネクタに第２のコネクタを正規嵌合させて検知部材を第２の位置にスライドさせた状態を示す斜視図である。
【図５】図４の状態を上から見て示す部分断面図である。
【図６】図５の要部の拡大図である。
【図７】前記第１のコネクタに対する第２のコネクタの嵌合が半嵌合であり、そのため検知部材を第２の位置にスライドさせることができない状態を示す斜視図である。
【図８】図７の状態を上から見て示す要部の平面図である。
【図９】図７の状態を上から見て示す要部の断面図である。
【図１０】レバーの操作部が検知部材のカム面に当たっている状態を示す図９と同様の要部の断面図である。
【図１１】図１０の要部の拡大図である。
【図１２】図１１の状態から更に検知部材を矢印Ａ方向にスライドさせたときの状態を示す図１１と同様の要部の拡大図である。
【図１３】前記第１のコネクタに第２のコネクタを正規嵌合させて、検知部材を第２の位置にスライドさせ、その上で第３のコネクタを第１のコネクタに嵌合させようとしている状態を示す斜視図である。
【図１４】前記第１のコネクタに対する第２のコネクタの嵌合が半嵌合であり、そのため検知部材を第２の位置にスライドさせることができず、それゆえに第３のコネクタを第１のコネクタに嵌合させようとしても、検知部材に邪魔されて嵌合できない状態を示す斜視図である。
【符号の説明】
【００４９】
１０  第１のコネクタハウジング
１１  第１の嵌合口
１２  第２の嵌合口
２０  スライドレール（スライド機構）
２１  第１の係止突起（第１の係止部）
２２  第２の係止突起（第２の係止部）
５０  検知部材
５４  ガイド溝（スライド機構）
６０  第２のコネクタハウジング
７０  レバー
７１  操作部
１６０  第３のコネクタハウジング
【図１】
2010009843.tif 000003
【図２】
2010009843.tif 000004
【図３】
2010009843.tif 000005
【図４】
2010009843.tif 000006
【図５】
2010009843.tif 000007
【図６】
2010009843.tif 000008
【図７】
2010009843.tif 000009
【図８】
2010009843.tif 000010
【図９】
2010009843.tif 000011
【図１０】
2010009843.tif 000012
【図１１】
2010009843.tif 000013
【図１２】
2010009843.tif 000014
【図１３】
2010009843.tif 000015
【図１４】
2010009843.tif 000016